(57)【要約】【課題】  特別な機器を必要とすることなく、どこでも容易にパソコンでテレビ放送を視聴可能とする。【解決手段】  パソコンと同時に使用されるマウスにテレビ放送を受信するためのアンテナを内蔵する。アンテナは緩指向性の平面アンテナであり、さらにブースターやチューナーを内蔵することもできる。【選択図】      図１
2008277987.tif 000002
【特許請求の範囲】
【請求項１】
平面状形態のテレビジョン放送受信用アンテナ（２０）を内部に備えていることを特徴とするマウス。
【請求項２】
前記内部に、ブースター（３０）を備えていることを特徴とする請求項１記載のマウス。
【請求項３】
前記内部に、チューナー（４０）を備えていることを特徴とする請求項１または２記載のマウス。
【発明の詳細な説明】
【技術分野】
【０００１】
本発明は、テレビジョン放送（以下、テレビ放送という）を受信するためのアンテナを内蔵し、パーソナルコンピュータ（以下、パソコンという）に接続することで、テレビ放送を視聴可能とするマウスに関する。
【背景技術】
【０００２】
近年、テレビ放送用のチューナーを内蔵したパソコンが普及し、パソコンでテレビ放送を視聴する人が増えている。一般に、チューナー内蔵パソコンは、アンテナ端子を備えており、屋外あるいは屋内に設置されたアンテナと、パソコンとをアンテナケーブルで接続する（文献１）。
【特許文献１】特開平１０−１９１５６０号公報
【０００３】
しかしながら、屋外設置アンテナの場合、通常室内の壁面にアンテナ端子が設けられるが、どの部屋にも端子があるとは限らず、必然的にパソコンを設置できる場所が限られてしまう。また、屋内設置アンテナであれば、そのような問題は生じないが、持ち運び可能なノート型パソコンで使用する場合、パソコンとともにアンテナまで持ち運ばなければならなくなり、面倒である。
【発明の開示】
【発明が解決しようとする課題】
【０００４】
本発明は、上記事情を鑑みたものであり、パソコンと同時に使用されるマウスにテレビ放送を受信するためのアンテナを内蔵することで、どこでも容易にパソコンでテレビ放送を視聴することができるようにすることを目的とする。
【課題を解決するための手段】
【０００５】
本発明のうち請求項１の発明は、平面状形態のテレビジョン放送受信用アンテナを内部に備えていることを特徴とする。
【０００６】
本発明のうち請求項２の発明は、前記内部に、ブースターを備えていることを特徴とする。
【０００７】
本発明のうち請求項３の発明は、前記内部に、チューナーを備えていることを特徴とする。
【発明の効果】
【０００８】
本発明のうち請求項１の発明によれば、パソコンと同時に使用されるマウスにテレビ放送受信用のアンテナを内蔵することで、それ以外の機器を必要とすることなく、パソコンでテレビ放送を視聴することができる。また、平面アンテナであるので、コンパクトに構成することができ、アンテナ全体をマウスの筐体に内蔵することができるので、通常のマウスと変わらない使用感を得ることができる。
【０００９】
本発明のうち請求項２の発明によれば、アンテナで受信した電波を増幅するためのブースターを内蔵することで、電波が弱い環境下においてもテレビ放送を視聴可能となる。
【００１０】
本発明のうち請求項３の発明によれば、マウス自体にチューナーを内蔵することで、チューナーを内蔵していないパソコンでもテレビ放送を視聴可能となる。
【発明を実施するための最良の形態】
【００１１】
本発明のマウスの具体的な構成について、各図面に基づいて説明する。図１に示すのは、本発明のマウスの第一実施形態である。（ａ）は外観を示す斜視図であるが、本マウスの外観は、一般的なパソコン用のマウスと変わるところはなく、卵形で掌に納まる大きさの筐体１に、操作用の左ボタン２、右ボタン３、ホイール４および本マウスとパソコン本体とを接続するための接続ケーブル１０を備える。ここで、マウスの接続ケーブル１０が備えられる側を、前側とする。
【００１２】
次に、本マウスの内部の構造を、（ｂ）の透視図により示す。本マウスは内部に基板９を有し、この基板９上に、各要素が設置されている。基板９の前部に設けられる左センサー６および右センサー７は、それぞれ左ボタン２および右ボタン３と連動し、各ボタンのクリックを検出する。また、ホイール４は回転可能に取り付けられ、回転センサー８がホイール４の回転方向および回転量を検出する。さらに、基板９の中央部に設けられる位置検出器５は、光を照射するＬＥＤ、マウスの操作面を撮像する撮像素子および信号処理部からなり、マウスの移動方向および移動量を検出する。そして、基板９の後部には、テレビ放送を受信するためのアンテナ２０が設置される。なお、このアンテナ２０の設置位置は一例であり、筐体１内部のどの位置に設置されるものであってもよい。
【００１３】
アンテナ２０は、図２に示すように、絶縁体からなるアンテナ基板２１上に、薄膜状のアンテナ素子２２が形成される平面状のものであり、例えば、特許第３３２３４４２号に示されるアンテナが用いられる。アンテナ素子２２は、導電性の素材からなり、銅、アルミニウム、カーボンや導電性インクなどが用いられる。そして、アンテナ素子２２の一部に給電部２３，２３を有し、基板９に接続される。本アンテナ２０は、図１（ｂ）のように垂直に設置した場合において、水平方向について指向性の変化の少ない緩指向性を有するので、マウスを操作してアンテナ２０の向きが変化しても電波の受信に影響がない。さらに、本アンテナ２０は受信可能な周波数帯域が広く、ＶＨＦ、ＵＨＦのテレビ放送や、無線ＬＡＮなどのパソコン無線通信の電波に対応するが、特に地上波デジタル放送の受信に適する。
【００１４】
各センサーにより検出されたマウスの動作情報データおよびテレビ放送の電波は、接続ケーブル１０を介してパソコン本体に送られる。接続ケーブル１０は、マウス動作用ケーブル１１と、アンテナケーブル１２の二本からなるものであり、途中で二股に分かれ、各先端には、マウス動作用端子１３およびアンテナ端子１４が設けられる。マウス動作用端子１３をパソコンのマウス用端子に接続することで、マウスの動作が可能となり、アンテナ端子１４をパソコンのアンテナ端子に接続することで、テレビ放送が視聴可能となる。マウス動作用ケーブル１１としては、ＵＳＢケーブルやＰＳ／２ケーブルなどが用いられ、それぞれ対応したマウス動作用端子１３が設けられる。また、アンテナケーブルとしては、同軸ケーブルなどが用いられる。
【００１５】
図３に示すのは、本発明のマウスの第二実施形態である。第二実施形態では、第一実施形態の構成に加えて、ブースター３０およびチューナー４０を内蔵する。アンテナ２０で受信したテレビ放送の電波は、まずブースター３０により増幅される。これにより、電波の弱い場所でもテレビ放送が視聴可能となる。そして増幅された電波は、チューナー４０により、パソコンの表示画面に出力可能な形式に変換される。よって、本マウスによれば、チューナーを内蔵しないパソコンでもテレビ放送を視聴することができるようになる。
【００１６】
なお、チューナー４０は、受信したテレビ放送をＭＰＥＧ−２等のフォーマットにエンコードするキャプチャ機能を有することが望ましい。エンコードは、チューナー４０によって行われるハードウェアエンコード方式であってもよいし、パソコン上で行われるソフトウェアエンコード方式であってもよい。
【００１７】
本実施形態では、各センサーにより検出されたマウスの動作情報データおよび動画データは、アンテナ２０から無線ＬＡＮによってパソコン本体に送られる。よって、パソコンにケーブルを接続する必要がなく、ケーブルによってマウスの動きが妨げられないので、非常に使い勝手がよい。なお、本実施形態では電源を供給するケーブルがないので、図示しない充電池などの電源が設けられる。
【００１８】
本発明のうち、マウスの動作に関する部分については、一般的なマウスと同様であり、上記実施形態の構成に限られず、種々の構成が適用されうる。例えば、位置検出はボールの回転の計測により行う方式であってもよいし、また、左ボタン、右ボタンおよびホイール以外に別のボタンなどの入力手段を備えるものであってもよい。
【００１９】
さらに、アンテナの形状についても、上記実施形態のような矩形のものに限定されるものではなく、テレビ放送、特に地上波デジタル放送を受信できるアンテナであれば、円形のもの、六角形のものなど、どのようなものであってもよい。例えば、円形のアンテナは、図４（ａ）に示される。このアンテナ２０は、円形のアンテナ基板２１に放射状のアンテナ素子２２を備え、中央に給電部２３，２３を有するものであり、図４（ｂ）に示す第三実施形態のように、マウスの基板９に対して水平に設置される。アンテナ２０は支柱１５により支持されており、このように設置することで、水平方向について無指向性となり、マウスを操作して向きが変化しても電波の送受信に影響がない。また、第二実施形態および第三実施形態においては、ブースター３０およびチューナー４０は、そのいずれか一方のみを備えるものであってもよい。
【図面の簡単な説明】
【００２０】
【図１】本発明のマウスの第一実施形態を示す斜視図および透視図。
【図２】アンテナの平面図。
【図３】第二実施形態を示す透視図。
【図４】別形状のアンテナの平面図および第三実施形態を示す透視図。
【符号の説明】
【００２１】
２０  アンテナ
３０  ブースター
４０  チューナー
【図１】
2008277987.tif 000003
【図２】
2008277987.tif 000004
【図３】
2008277987.tif 000005
【図４】
2008277987.tif 000006